(57)【特許請求の範囲】
【請求項１】
別体型調理器具の制御方法であって、
前記別体型調理器具は、ベースと、器具本体とを含み、
前記器具本体は、前記ベースに載置され、前記ベースに対して分離可能であり、
前記ベース内には、識別モジュールと、コイルディスクと、無線送信コイル回路モジュールとが設けられ、
前記制御方法は、
前記ベースに電源を入れた後、前記識別モジュールの状態情報を取得するステップと、
前記識別モジュールの状態情報が第１の状態である場合、前記ベースが電磁調理器動作モードで実行することを禁止し、前記ベースが炊飯器動作モードで実行することを許可するステップと、
前記識別モジュールの状態情報が第２の状態である場合、前記無線送信コイル回路モジュールがフィードバック信号を検出するか否かを判断するステップと、
前記無線送信コイル回路モジュールがフィードバック信号を検出した場合、前記ベースが電磁調理器動作モードで実行することを禁止し、前記ベースが炊飯器動作モードで実行することを許可するステップと、
前記無線送信コイル回路モジュールがフィードバック信号を検出していない場合、前記ベースが電磁調理器動作モードで実行することを許可し、前記ベースが炊飯器動作モードで実行することを禁止するステップと、を含む、
ことを特徴とする別体型調理器具の制御方法。
【請求項２】
前記識別モジュールはリードスイッチを含み、
前記リードスイッチが閉じている時に前記第１の状態に対応し、前記リードスイッチが開いている時に前記第２の状態に対応し、
前記ベースに電源を入れた後、前記無線送信コイル回路モジュールがオフ状態にあり、前記識別モジュールの状態情報が第２の状態である場合、前記コイルディスクを制御して加熱鍋検出信号を出力し、前記加熱鍋検出信号に基づいて前記ベースに、現在、鍋があるか否かを判断し、
前記ベースに、現在、鍋がある場合、前記無線送信コイル回路モジュールがフィードバック信号を検出するか否かを判断するように、前記無線送信コイル回路モジュールを制御して動作させ、
前記ベースに、現在、鍋がない場合、前記ベースが電磁調理器動作モードで実行することが許可され、前記ベースが炊飯器動作モードで実行することが禁止される、
ことを特徴とする請求項１に記載の別体型調理器具の制御方法。
【請求項３】
前記ベース内には、第１の無線通信モジュールがさらに設けられ、前記ベースが電磁調理器動作モードで実行することが禁止され、前記ベースが炊飯器動作モードで実行することが許可される場合、前記無線送信コイル回路モジュールは、前記ベースに現在載置されている器具本体内の無線受信コイル回路モジュールと無線給電接続を確立し、前記第１の無線通信モジュールは、前記器具本体内の第２の無線通信モジュールと無線通信接続を確立して前記ベースに現在載置されている器具本体と前記ベースとの間の通信データインタラクションを実現し、前記ベースに現在載置されている器具本体と前記ベースとの間の通信データインタラクションに基づいて前記コイルディスクを加熱制御する、
ことを特徴とする請求項１または２に記載の別体型調理器具の制御方法。
【請求項４】
前記ベースが電磁調理器動作モードで実行することが許可され、前記ベースが炊飯器動作モードで実行することが禁止される場合、前記電磁調理器動作モードで加熱するように、前記コイルディスクを制御する、
ことを特徴とする請求項１または２に記載の別体型調理器具の制御方法。
【請求項５】
別体型調理器具であって、
ベースと、器具本体とを含み、
前記器具本体は、前記ベースに載置され、前記ベースに対して分離可能であり、
前記ベース内には、識別モジュールと、コイルディスクと、無線送信コイル回路モジュールと、電磁調理器制御モジュールとが設けられ、前記電磁調理器制御モジュールは、前記ベースに電源を入れた後に前記識別モジュールの状態情報を取得し、
前記識別モジュールの状態情報が第１の状態である場合、前記電磁調理器制御モジュールは、前記ベースが電磁調理器動作モードで実行することを禁止し、前記ベースが炊飯器動作モードで実行することを許可し、
前記識別モジュールの状態情報が第２の状態である場合、前記電磁調理器制御モジュールは、前記無線送信コイル回路モジュールがフィードバック信号を検出するか否かを判断し、
前記無線送信コイル回路モジュールがフィードバック信号を検出した場合、前記電磁調理器制御モジュールは、前記ベースが電磁調理器動作モードで実行することを禁止し、前記ベースが炊飯器動作モードで実行することを許可し、
前記無線送信コイル回路モジュールがフィードバック信号を検出していない場合、前記電磁調理器制御モジュールは、前記ベースが電磁調理器動作モードで実行することを許可し、前記ベースが炊飯器動作モードで実行することを禁止する、
ことを特徴とする別体型調理器具。
【発明の詳細な説明】
【技術分野】
【０００１】
本発明は、家電製品技術の分野に関し、特に、別体型調理器具の制御方法、別体型調理器具に関する。
【背景技術】
【０００２】
現在、小型家電は既に人々の日常生活に普及している、一つの世帯では、通常、一つ又は複数の炊飯器、電気圧力鍋などの家電製品を所有する。しかし、製品の多様化とともに、家内の台所に放置可能な製品が増えていく。家内の家電製品をできるだけ減らすために、台所空間に対する占有を減らして、炊飯器、電気圧力鍋などの家電製品を別体型調理器具に統合することができる。
【０００３】
しかし、実際の使用では、現在の別体型調理器具は、器具本体とベースとの間の状態を正確且つ効果的に識別することが難しく、別体型調理器具に対する正確な制御を実現することができない。
【発明の概要】
【発明が解決しようとする課題】
【０００４】
本発明は、上記の技術における少なくとも一つの技術的課題をある程度で解決することを目的とする。そのため、本発明の第１の目的は、ベースと器具本体の分離／組み合わせ状態を効果的に識別し、単一の識別方式が無効である場合、組み合わせ状態が検知できず、電磁調理器動作モードになって器具本体を連続的に加熱する安全問題を効果的に回避することができる別体型調理器具の制御方法を提供する。
【０００５】
本発明の第２の目的は、別体型調理器具を提供する。
【課題を解決するための手段】
【０００６】
上記の目的を達成するために、本発明第１の態様の実施例は、別体型調理器具の制御方法を提供し、前記別体型調理器具は、ベースと器具本体とを含み、前記器具本体は、前記ベースに載置され、前記ベースに対して分離可能であり、前記ベース内には、識別モジュールと、コイルディスク、無線送信コイル回路モジュールとが設けられ、前記制御方法は、前記ベースに電源を入れた後、前記識別モジュールの状態情報を取得するステップと、前記識別モジュールの状態情報が第１の状態である場合、前記ベースが電磁調理器動作モードで実行することが禁止され、前記ベースが炊飯器動作モードで実行することが許可されるステップと、前記識別モジュールの状態情報が第２の状態である場合、前記無線送信コイル回路モジュールがフィードバック信号を検出したか否かを判断するステップと、前記無線送信コイル回路モジュールがフィードバック信号を検出した場合、前記ベースが電磁調理器動作モードで実行することが禁止され、前記ベースが炊飯器動作モードで実行することが許可されるステップと、前記無線送信コイル回路モジュールがフィードバック信号を検出していない場合、前記ベースが電磁調理器動作モードで実行することが許可され、前記ベースが炊飯器動作モードで実行することが禁止されるステップと、を含む。
【０００７】
本発明の実施例に係る別体型調理器具の制御方法によれば、ベースに電源を入れた後、識別モジュールの状態情報を取得し、識別モジュールの状態情報が第１の状態である場合、ベースが電磁調理器動作モードで実行することが禁止され、ベースが炊飯器動作モードで実行することが許可され、識別モジュールの状態情報が第２の状態である場合、無線送信コイル回路モジュールがフィードバック信号を検出するか否かを判断し、無線送信コイル回路モジュールがフィードバック信号を検出した場合、ベースが電磁調理器動作モードで実行することが禁止され、ベースが炊飯器動作モードで実行することが許可され、無線送信コイル回路モジュールがフィードバック信号を検出していない場合、ベースが電磁調理器動作モードで実行することが許可され、ベースが炊飯器動作モードで実行することが禁止される。当該方法は、ベースと器具本体の分離／組み合わせ状態を効果的に識別することができ、単一の識別方式が無効である場合、組み合わせ状態が検知できず、電磁調理器動作モードになって器具本体を連続的に加熱する安全問題を効果的に回避することができる。
【０００８】
また、本発明の上記の実施例により提供される別体型調理器具の制御方法は、以下のような追加の技術的特徴を有してもよい。
【０００９】
本発明の一実施例によれば、前記識別モジュールはリードスイッチを含み、前記リードスイッチが閉じている時に前記第１の状態に対応し、前記リードスイッチが開いている時に前記第２の状態に対応する。
【００１０】
本発明の一実施例によれば、前記ベースに電源を入れた後、前記無線送信コイル回路モジュールがオフ状態にあり、前記識別モジュールの状態情報が第２の状態である場合、前記コイルディスクを制御して加熱鍋検出信号を出力し、前記加熱鍋検出信号に基づいて前記ベースに、現在、鍋があるか否かを判断し、前記ベースに、現在、鍋がある場合、前記無線送信コイル回路モジュールがフィードバック信号を検出するか否かを判断するように、前記無線送信コイル回路モジュールを制御して動作させ、前記ベースに、現在、鍋がない場合、前記ベースが電磁調理器動作モードで実行することが許可され、前記ベースが炊飯器動作モードで実行することが禁止される。
【００１１】
本発明の一実施例によれば、前記ベース内には、第１の無線通信モジュールがさらに設けられ、前記ベースが電磁調理器動作モードで実行することが禁止され、前記ベースが炊飯器動作モードで実行することが許可される場合、前記無線送信コイル回路モジュールは、前記ベースに現在載置されている器具本体内の無線受信コイル回路モジュールと無線給電接続を確立し、前記第１の無線通信モジュールは、前記器具本体内の第２の無線通信モジュールと無線通信接続を確立して前記ベースに現在載置されている器具本体と前記ベースとの間の通信データインタラクションを実現し、前記ベースに現在載置されている器具本体と前記ベースとの間の通信データインタラクションに基づいて前記コイルディスクを加熱制御する。
【００１２】
本発明の一実施例によれば、前記ベースが電磁調理器動作モードで実行することが許可され、前記ベースが炊飯器動作モードで実行することが禁止される場合、前記電磁調理器動作モードで加熱するように、前記コイルディスクを制御する。
【００１３】
上記の目的を達成するために、本発明の第２の態様の実施例は、別体型調理器具を提供し、ベースと器具本体とを含み、前記器具本体は、前記ベースに載置され、前記ベースに対して分離可能であり、前記ベース内には、識別モジュールと、コイルディスクと、無線送信コイル回路モジュールと、電磁調理器制御モジュールとが設けられ、前記電磁調理器制御モジュールは、前記ベースに電源を入れた後に前記識別モジュールの状態情報を取得し、前記識別モジュールの状態情報が第１の状態である場合、前記電磁調理器制御モジュールは、前記ベースが電磁調理器動作モードで実行することを禁止し、前記ベースが炊飯器動作モードで実行することを許可し、前記識別モジュールの状態情報が第２の状態である場合、前記電磁調理器制御モジュールは、前記無線送信コイル回路モジュールがフィードバック信号を検出するか否かを判断し、前記無線送信コイル回路モジュールがフィードバック信号を検出した場合、前記電磁調理器制御モジュールは、前記ベースが電磁調理器動作モードで実行することを禁止し、前記ベースが炊飯器動作モードで実行することを許可し、前記無線送信コイル回路モジュールがフィードバック信号を検出していない場合、前記電磁調理器制御モジュールは、前記ベースが電磁調理器動作モードで実行することを許可し、前記ベースが炊飯器動作モードで実行することを禁止する。
【００１４】
本発明の実施例に係る別体型調理器具は、調理器具のベース内に識別モジュールと、コイルディスクと、無線送信コイル回路モジュールと、電磁調理器制御モジュールとが設けられ、電磁調理器制御モジュールは、ベースに電源を入れた後に識別モジュールの状態情報を取得し、識別モジュールの状態情報が第１の状態である場合、電磁調理器制御モジュールは、ベースが電磁調理器動作モードで実行することを禁止し、ベースが炊飯器動作モードで実行することを許可し、識別モジュールの状態情報が第２の状態である場合、電磁調理器制御モジュールは、無線送信コイル回路モジュールがフィードバック信号を検出するか否かを判断する。無線送信コイル回路モジュールがフィードバック信号を検出した場合、電磁調理器制御モジュールは、ベースが電磁調理器動作モードで実行することを禁止し、ベースが炊飯器動作モードで実行することを許可し、無線送信コイル回路モジュールがフィードバック信号を検出していない場合、電磁調理器制御モジュールは、ベースが電磁調理器動作モードで実行することを許可し、ベースが炊飯器動作モードで実行することを禁止する。当該別体型調理器具は、ベースと器具本体の分離／組み合わせ状態を効果的に識別することができ、単一の識別方式が無効である場合、組み合わせ状態が検知できず、電磁調理器動作モードになって器具本体を連続的に加熱する安全問題を効果的に回避することができる。
【００１５】
また、本発明の上記の実施例により提供される別体型調理器具は、以下のような追加の技術的特徴を有してもよい。
本発明の一実施例によれば、前記識別モジュールはリードスイッチを含み、前記リードスイッチが閉じている時に前記第１の状態に対応し、前記リードスイッチが開いている時に前記第２の状態に対応する。
【００１６】
本発明の一実施例によれば、前記ベースに電源を入れた後、前記無線送信コイル回路モジュールがオフ状態にあり、前記識別モジュールの状態情報が第２の状態である場合、前記電磁調理器制御モジュールは、前記コイルディスクを制御して加熱鍋検出信号を出力し、前記加熱鍋検出信号に基づいて前記ベースに、現在、鍋があるか否かを判断し、前記ベースに、現在、鍋がある場合、前記電磁調理器制御モジュールは、前記無線送信コイル回路モジュールがフィードバック信号を検出するか否かを判断するように、前記無線送信コイル回路モジュールを制御して動作させ、前記ベースに、現在、鍋がない場合、前記電磁調理器制御モジュールは、前記ベースが電磁調理器動作モードで実行することを許可し、前記ベースが炊飯器動作モードで実行することを禁止する。
【００１７】
本発明の一実施例によれば、前記ベース内には、第１の無線通信モジュールがさらに設けられ、前記電磁調理器制御モジュールは、前記ベースが電磁調理器動作モードで実行することを禁止し、前記ベースが炊飯器動作モードで実行することを許可する場合、前記無線送信コイル回路モジュールは、前記ベースに現在載置されている器具本体内の無線受信コイル回路モジュールと無線給電接続を確立し、前記第１の無線通信モジュールは、前記器具本体内の第２の無線通信モジュールと無線通信接続を確立して前記ベースに現在載置されている器具本体と前記ベースとの間の通信データインタラクションを実現し、前記ベースに現在載置されている器具本体内の炊飯器制御モジュールは、前記ベースに現在載置されている器具本体と前記ベースとの間の通信データインタラクションに基づいて前記コイルディスクを加熱制御する。
【００１８】
本発明の一実施例によれば、前記ベースが電磁調理器動作モードで実行することが許可され、前記ベースが炊飯器動作モードで実行することが禁止される場合、前記電磁調理器制御モジュールは、前記電磁調理器動作モードで加熱するように、前記コイルディスクを制御する。
【図面の簡単な説明】
【００１９】
【図１】本発明の一実施例に係る別体型調理器具のブロック概略図である。
【図２】本発明の実施例に係る別体型調理器具の制御方法のフローチャートである。
【図３】本発明の別の実施例に係る別体型調理器具のブロック概略図である。
【図４】本発明のさらに他の実施例に係る別体型調理器具のブロック概略図である。
【図５】本発明の一実施例に係る別体型調理器具の制御方法のフローチャートである。
【図６】本発明の別の実施例に係る別体型調理器具の制御方法のフローチャートである。
【発明を実施するための形態】
【００２０】
以下、本発明の実施例を詳細に説明する。前記実施例における例が図面に示され、同一又は類似する符号は、常に同一又は類似する部品、或いは、同一又は類似する機能を有する部品を表す。以下に、図面を参照しながら説明される実施例は例示的なものであり、本発明を解釈することを旨とし、本発明を限定するものと理解してはならない。
【００２１】
以下、図面を組み合わせて本発明の実施例の別体型調理器具の制御方法以及び別体型調理器具を説明する。
【００２２】
図１は、本発明の一実施例に係る別体型調理器具のブロック概略図である。図１に示すように、本発明の実施例の別体型調理器具は、ベース１０と、器具本体２０とを含むことができ、器具本体２０は、ベース１０に載置され、ベース１０に対して分離可能である。
【００２３】
本発明の実施例では、別体型調理器具のベース１０には、複数の異なるタイプの器具本体２０にそれぞれ載置され、同一のベース１０を介して異なるタイプの器具本体２０と結合して動作することで、異なる調理器具を構成することができる。例えば、器具本体２０は、通常の鍋器具であってもよく、ベース１０を介して通常の鍋器具に熱源を提供することができ、器具本体２０は、圧力装置を有する圧力鍋の鍋体であってもよく、ベース１０と別体型電気圧力鍋を構成し、器具本体２０は、炊飯装置を有する炊飯器本体であってもよく、ベース１０と別体型炊飯器などを構成する。このように、一つのベースを利用して様々な異なる調理機能を実現できるため、台所空間に対する占有を減らすことができる。
【００２４】
その中、ベース１０は、交流商用電源に直接に接続することができ、器具本体２０は、交流商用電源に直接に接続する必要がなく、器具本体２０がベース１０に載置された場合、ベース１０は、器具本体２０に電源又は熱源を提供することができる。具体的には、ベース１０内に識別モジュール１１と、コイルディスク１２と、無線送信コイル回路モジュール１３と、電磁調理器制御モジュール１４とが設けられることができ、器具本体２０がベース１０に載置されていると判断された場合、電磁調理器制御モジュール１４は、無線送信コイル回路モジュール１３を介して器具本体２０に必要な電気エネルギーを提供することができ、コイルディスク１２を介して器具本体２０に必要な熱エネルギーを提供することができる。器具本体２０は、通常の鍋器具であってもよいし、圧力鍋の鍋体又は炊飯器本体であってもよいし、異なる器具本体２０対する必要な熱エネルギーは異なるため、現在の器具本体２０を正確且つ効果的に検出して、器具本体２０が実際に圧力鍋の鍋体又は炊飯器本体である場合、通常の鍋器具であることが検出されたため、ベース１０が圧力鍋の鍋体又は炊飯器本体を連続的に加熱し、圧力鍋の鍋体又は炊飯器本体が破損したり、又は安全事故を引き起こしたりすることを防止する必要がある。
【００２５】
図２は、本発明の実施例に係る別体型調理器具の制御方法のフローチャートである。図２に示すように、本発明の実施例の別体型調理器具の制御方法は、以下のようなステップを含むことができる。
Ｓ１、ベースに電源を入れた後、識別モジュールの状態情報を取得する。
【００２６】
本発明の一実施例によれば、識別モジュールはリードスイッチを含み、リードスイッチが閉じている時に第１の状態に対応し、リードスイッチが開いている時に第２の状態に対応する。
【００２７】
例えば、図３に示すように、識別モジュール１１は、リードスイッチ１１１と磁石１１２とを含むことができ、リードスイッチ１１１は、ベース１０内に設置され、磁石１１２は、器具本体２０（圧力鍋の鍋体又は炊飯器本体など）内に設置され、当該器具本体２０がベース１０に載置されている場合、磁石１１２はリードスイッチ１１１に接近して、リードスイッチ１１１のリードが磁化されて、リードの接点部分が磁力に吸着され、吸着力がリードの弾力より大きい場合、リードスイッチ１１１の常開接点は閉じられ、リードスイッチ１１１は閉状態になり、この時、圧力鍋の鍋体又は炊飯器本体がベース１０に載置されていることを示し、器具本体２０がベース１０に載置されていない場合、リードスイッチ１１１は、切断状態となり、この時、圧力鍋の鍋体又は炊飯器本体がベース１０に載置されていないことを示す。また、通常の鍋器具内に磁石１１２が設けられていないため、通常の鍋器具がベース１０に載置されている場合、リードスイッチ１１１も、切断状態となる。したがって、リードスイッチ１１１が閉じている場合、圧力鍋の鍋体又は炊飯器本体がベース１０に載置されており、この時、第１の状態（すなわち組み合わせ状態）となり、リードスイッチ１１１が開いている場合、器具本体２０がベース１０に載置されていないか、又は通常の鍋器具がベース１０に載置されており、この時、第２の状態（すなわち分離状態）となる。
【００２８】
Ｓ２、識別モジュールの状態情報が第１の状態である場合、ベースが電磁調理器動作モードで実行することが禁止され、ベースが炊飯器動作モードで実行することが許可される。
【００２９】
具体的には、第１の状態に対応する器具本体は、圧力鍋の鍋体又は炊飯器本体であるため、この時、ベースが電磁調理器動作モードで実行することが禁止され、ベースが炊飯器動作モードで実行することが許可される。
【００３０】
Ｓ３、識別モジュールの状態情報が第２の状態である場合、無線送信コイル回路モジュールがフィードバック信号を検出するか否かを判断する。
【００３１】
具体的には、識別モジュールの状態情報が第２の状態である場合、ベース内の無線送信コイル回路モジュールがフィードバック信号を検出するか否かさらに判断して、ベースに圧力鍋の鍋体又は炊飯器本体がないことをさらに決定する。
【００３２】
例えば、図３に示すように、器具本体２０は、交流商用電源に直接に接続しないことができるため、器具本体２０（圧力鍋の鍋体又は炊飯器本体など）に無線受信コイル回路モジュール２１を設置して、無線受信コイル回路モジュール２１と無線送信コイル回路モジュール１３が電磁カップリングを行うことによって電気エネルギーを受信することができる。無線電気エネルギーの伝送は、無線受信コイル回路モジュール２１と無線送信コイル回路モジュール１３が互いにマッチングし、且つ位置が対応する必要があるため、無線送信コイル回路モジュールを介してベースに圧力鍋の鍋体又は炊飯器本体があるか否かをさらに決定することもできる。
【００３３】
具体的には、図３に示すように、電磁調理器制御モジュール１４がリードスイッチ１１１が開いていることを検出した場合、さらに、無線送信コイル回路モジュール１３を制御して動作させ、すなわち、無線送信コイル回路モジュール１３に交流を流して、無線送信コイル回路モジュール１３が交流電磁界を発生させて、無線受信コイル回路モジュール２１が交流電磁界の作用によって誘導起電力を発生させ、この時、器具本体２０内の炊飯器制御モジュール２２は、電気エネルギーを取得し、無線受信コイル回路モジュール２１に一つのフィードバック信号を送信し、無線受信コイル回路モジュール２１を介して無線送信コイル回路モジュール１３にカップリングして伝送する。無線送信コイル回路モジュール１３は、当該フィードバック信号をリアルタイムに検出して、当該フィードバック信号に基づいてベースに圧力鍋の鍋体又は炊飯器本体があるか否かを決定する。
【００３４】
Ｓ４、無線送信コイル回路モジュールがフィードバック信号を検出した場合、ベースが電磁調理器動作モードで実行することが禁止され、ベースが炊飯器動作モードで実行することが許可される。
【００３５】
Ｓ５、無線送信コイル回路モジュールがフィードバック信号を検出していない場合、ベースが電磁調理器動作モードで実行することが許可され、ベースが炊飯器動作モードで実行することが禁止される。
【００３６】
具体的には、図３に示すように、無線送信コイル回路モジュール１３がフィードバック信号を検出した場合、ベース１０に圧力鍋の鍋体又は炊飯器本体が載置されていることを説明し、識別モジュール１１が無効である可能性があり、この時、電磁調理器制御モジュール１４は、ベースが電磁調理器動作モードで実行することを禁止し、ベースが炊飯器動作モードで実行することを許可し、無線送信コイル回路モジュール１３がフィードバック信号を検出していない場合、識別モジュール１１及び無線送信コイル回路モジュール１３のダブル検出において、圧力鍋の鍋体又は炊飯器本体がいずれも検出されていないことを意味し、この時、ベースが電磁調理器動作モードで実行することが許可され、ベースが炊飯器動作モードで実行することが禁止されることができる。つまり、識別モジュールと無線送信コイル回路モジュールを介して圧力鍋の鍋体又は炊飯器本体がいずれも検出されていない場合のみ、電磁調理器動作モードを使用することが許可されるため、単一の識別方式が無効である場合、組み合わせ状態（圧力鍋の鍋体又は炊飯器本体ベースに載置される）が検知できず、電磁調理器動作モードになって器具本体を連続的に加熱する安全問題を効果的に回避することができる。
【００３７】
本発明の一実施例によれば、ベース内には、第１の無線通信モジュールがさらに設けられ、ベースが電磁調理器動作モードで実行することが禁止され、ベースが炊飯器動作モードで実行することが許可される場合、無線送信コイル回路モジュールは、ベースに現在載置されている器具本体内の無線受信コイル回路モジュールと無線給電接続を確立し、第１の無線通信モジュールと器具本体内の第２の無線通信モジュールの無線通信接続を確立してベースに現在載置されている器具本体とベースとの間の通信データインタラクションを実現し、ベースに現在載置されている器具本体とベースとの間の通信データインタラクションに基づいてコイルディスクを加熱制御する。
【００３８】
具体的には、図４に示すように、ベース１０内に第１の無線通信モジュール１５がさらに設けられるとともに、器具本体２０（圧力鍋の鍋体又は炊飯器本体など）に第２の無線通信モジュール２３がさらに設けられ、第１の無線通信モジュール１５及び第２の無線通信モジュール２３は、赤外線通信モジュールなどであってもよい。
【００３９】
電磁調理器制御モジュール１４が識別モジュール１１及び無線送信コイル回路モジュール１３を介して器具本体２０が圧力鍋の鍋体又は炊飯器本体であると判断された場合、電磁調理器制御モジュール１４は、ベースが電磁調理器動作モードで実行することを禁止し、ベースが炊飯器動作モードで実行することを許可し、この時、電磁調理器制御モジュール１４は、無線送信コイル回路モジュール１３に交流を流して、無線送信コイル回路モジュール１３が交流電磁界を発生させて、無線受信コイル回路モジュール２１は、交流電磁界の作用によって誘導起電力を発生させて、器具本体２０内の炊飯器制御モジュール２２に給電する。次に、炊飯器制御モジュール２２は、第２の無線通信モジュール２３を制御して第１の無線通信モジュール１５と無線通信接続を確立して、関連する加熱データ情報を電磁調理器制御モジュール１４に伝送して、電磁調理器制御モジュール１４が、受信された関連する加熱データ情報に基づいてコイルディスク１２を加熱ように制御し、例えばコイルディスク１２を制御して器具本体２０内の鍋を誘導加熱するなどである。
【００４０】
本発明の一実施例によれば、ベースが電磁調理器動作モードで実行することが許可され、ベースが炊飯器動作モードで実行することが禁止される場合、コイルディスクを制御して電磁調理器動作モードで加熱する。
【００４１】
具体的には、図４に示すように、電磁調理器制御モジュール１４が識別モジュール１１及び無線送信コイル回路モジュール１３を介して器具本体２０がないか、又は器具本体２０が通常の鍋器具であると判断された場合、電磁調理器制御モジュール１４は、ベースが電磁調理器動作モードで実行することを許可し、ベースが炊飯器動作モードで実行することを禁止し、この時、電磁調理器動作モードで加熱するように、コイルディスク１２を制御する。なお、コイルディスク１２を制御して電磁調理器動作モード（共振加熱など）で加熱する場合、まず、現在のベースに通常の鍋器具が存在するか否かを検出し、存在する場合、加熱を更に行い、そうでない場合、加熱を禁止する。
【００４２】
図５は、本発明の一実施例に係る別体型調理器具の制御方法のフローチャートである。図５に示すように、当該別体型調理器具の制御方法は、以下のようなステップを含むことができる。
Ｓ１０１、ベースに電源を入れる。
【００４３】
Ｓ１０２、電磁調理器制御モジュールが無線送信コイル回路モジュールを駆動して動作させ、リードスイッチの状態を検出する。
【００４４】
Ｓ１０３、リードスイッチが閉じているか否かを判断する。そうである場合、ステップＳ１０４を実行し、そうでない場合、ステップＳ１０５を実行する。
【００４５】
Ｓ１０４、電磁調理器動作モードが禁止され、炊飯器動作モードが許可される。
【００４６】
Ｓ１０５、無線送信コイル回路モジュールがフィードバック信号を検出するか否かを判断する。そうである場合、ステップＳ１０４に戻り、そうでない場合、ステップＳ１０６を実行する。
【００４７】
Ｓ１０６：電磁調理器動作モードが許可され、炊飯器動作モードが禁止される。
【００４８】
したがって、本発明の実施例に係る別体型調理器具の制御方法は、識別モジュールと無線送信コイル回路モジュールの二つの方式を介して信号カップリングを実現し、器具本体とベースの分離及び組み合わせの検出を実現し、正確な動作モードを決定し、単一の識別方式が無効である場合、組み合わせ状態が検知できず、電磁調理器動作モードになって器具本体を連続的に加熱する安全問題を効果的に回避することができる。また、電磁調理器動作モードが禁止され、炊飯器動作モードが許可される場合、第１の無線通信モジュールと第２の無線通信モジュールとの間でさらに信号カップリングを行うため、さらに、第１の無線通信モジュールと第２の無線通信モジュールとに基づいて器具本体とベースの分離及び組み合わせの検出を実現し、すなわち、三つの方式によって同一検出を行うため、検出の信頼性を大幅に向上させ、別体型調理器具の動作の安全性を確保することができる。
【００４９】
さらに、本発明の一実施例によれば、ベースに電源を入れた後、無線送信コイル回路モジュールがオフ状態にあり、識別モジュールの状態情報が第２の状態である場合、コイルディスクを制御して加熱鍋検出信号を出力し、加熱鍋検出信号に基づいてベースに、現在、鍋があるか否かを判断し、ベースに、現在、鍋がある場合、無線送信コイル回路モジュールがフィードバック信号を検出するか否かを判断するように、無線送信コイル回路モジュールを制御して動作させ、ベースに、現在、鍋がない場合、ベースが電磁調理器動作モードで実行することが許可され、ベースが炊飯器動作モードで実行することが禁止される。
【００５０】
具体的には、図４に示すように、電磁調理器制御モジュール１４がリードスイッチ１１１が開いていることを検出した場合、通常の状況では、二つの可能性があり、一つは器具本体２０が通常の鍋器具であり、もう一つはベース１０に器具本体２０がないため、この時、先に、コイルディスク１２を制御して加熱鍋検出信号を出力して、ベース１０上に鍋器具があるか否かを判断することができる。鍋器具がある場合、無線送信コイル回路モジュール１３を制御して動作させ、すなわち、無線送信コイル回路モジュール１３に交流を流して、無線送信コイル回路モジュール１３が交流電磁界を発生させて、無線受信コイル回路モジュール２１が交流電磁界の作用によって誘導起電力を発生させ、この時、器具本体２０内の炊飯器制御モジュール２２は、電気エネルギーを取得し、無線受信コイル回路モジュール２１に一つのフィードバック信号を送信し、無線受信コイル回路モジュール２１を介して無線送信コイル回路モジュール１３にカップリングして伝送する。無線送信コイル回路モジュール１３は、当該フィードバック信号をリアルタイムに検出して、電磁調理器制御モジュール１４は、当該フィードバック信号に基づいてベースに圧力鍋の鍋体又は炊飯器本体があるか否かをさらに決定する。ベース１０上に鍋器具がない場合、ベースが電磁調理器動作モードで実行することが許可され、ベースが炊飯器動作モードで実行することが禁止される。
【００５１】
つまり、無線送信コイル回路モジュールを介して器具本体が圧力鍋の鍋体又は炊飯器本体であるか否かをさらに判断する前に、ベースに鍋があるか否かも検出し、鍋がある場合、無線送信コイル回路モジュールに基づいて器具本体が圧力鍋の鍋体又は炊飯器本体であるか否かを再判断することによって、別体型調理器具がスタンバイ状況で無線検出を実行して消費電力が高くなる問題を効果的に回避することができる。
【００５２】
さらに、図６は、本発明の別の実施例に係る別体型調理器具の制御方法のフローチャートである。図６に示すように、当該別体型調理器具の制御方法は、以下のようなステップを含むことができる。
Ｓ２０１、ベースに電源を入れる。
【００５３】
Ｓ２０２、電磁調理器制御モジュールが実行し、リードスイッチの状態を検出する。
【００５４】
Ｓ２０３、リードスイッチが閉じているか否かを判断する。そうである場合、ステップＳ２０８を実行し、そうでない場合、ステップＳ２０４を実行する。
【００５５】
Ｓ２０４、電磁調理器制御モジュールがコイルディスクを定時に（１０ｓ〜１ｍｉｎなど）駆動して短時間（１〜２ｓなど）の加熱鍋検出信号を出力する。
【００５６】
Ｓ２０５、鍋が検出されたか否かを判断する。そうである場合、ステップＳ２０６を実行し、そうでない場合、ステップＳ２０９を実行する。
【００５７】
Ｓ２０６、電磁調理器制御モジュールが無線送信コイル回路モジュールを駆動して無線受信コイル回路モジュールに給電する。
【００５８】
Ｓ２０７、無線送信コイル回路モジュールによってフィードバック信号が検出されたか否かを判断する。そうである場合、ステップＳ２０８を実行し、そうでない場合、ステップＳ２０９を実行する。
【００５９】
Ｓ２０８、電磁調理器動作モードが禁止され、炊飯器動作モードが許可される。
【００６０】
Ｓ２０９、電磁調理器動作モードが許可され、炊飯器動作モードが禁止される。
【００６１】
以上のように、本発明の実施例に係る別体型調理器具の制御方法によれば、ベースに電源を入れた後、識別モジュールの状態情報を取得し、識別モジュールの状態情報が第１の状態である場合、ベースが電磁調理器動作モードで実行することが禁止され、ベースが炊飯器動作モードで実行することが許可され、識別モジュールの状態情報が第２の状態である場合、無線送信コイル回路モジュールがフィードバック信号を検出するか否かを判断し、無線送信コイル回路モジュールがフィードバック信号を検出した場合、ベースが電磁調理器動作モードで実行することが禁止され、ベースが炊飯器動作モードで実行することが許可され、無線送信コイル回路モジュールがフィードバック信号を検出していない場合、ベースが電磁調理器動作モードで実行することが許可され、ベースが炊飯器動作モードで実行することが禁止される。当該方法は、ベースと器具本体の分離／組み合わせ状態を効果的に識別することができ、単一の識別方式が無効である場合、組み合わせ状態が検知できず、電磁調理器動作モードになって器具本体を連続的に加熱する安全問題を効果的に回避することができる。
【００６２】
以下、本発明の実施例の別体型調理器具を詳細に説明する。
【００６３】
図１に示すように、本発明の実施例の別体型調理器具は、ベース１０と器具本体２０とを含むことができ、器具本体２０は、ベース１０に載置され、ベース１０に対して分離可能であり、ベース１０には、識別モジュール１１と、コイルディスク１２と、無線送信コイル回路モジュール１３と、電磁調理器制御モジュール１４とが設けられ、電磁調理器制御モジュール１４は、ベース１０に電源を入れた後に識別モジュール１１の状態情報を取得し、識別モジュール１１の状態情報が第１の状態である場合、電磁調理器制御モジュール１４は、ベース１０が電磁調理器動作モードで実行することを禁止し、ベース１０が炊飯器動作モードで実行することを許可し、識別モジュール１１の状態情報が第２の状態である場合、電磁調理器制御モジュール１４は、無線送信コイル回路モジュール１３がフィードバック信号を検出するか否かを判断し、無線送信コイル回路モジュール１３がフィードバック信号を検出した場合、電磁調理器制御モジュール１４は、ベース１０が電磁調理器動作モードで実行することを禁止し、ベース１０が炊飯器動作モードで実行することを許可し、無線送信コイル回路モジュール１３がフィードバック信号を検出していない場合、電磁調理器制御モジュール１４は、ベース１０が電磁調理器動作モードで実行することを許可し、ベース１０が炊飯器動作モードで実行することを禁止する。
【００６４】
本発明の一実施例によれば、図３に示すように、識別モジュール１１は、リードスイッチ１１１を含み、リードスイッチ１１１が閉じている時に第１の状態に対応し、リードスイッチ１１１が開いている時に第２の状態に対応する。
【００６５】
本発明の一実施例によれば、ベース１０に電源を入れた後、無線送信コイル回路モジュール１３がオフ状態にあり、識別モジュール１１の状態情報が第２の状態である場合、電磁調理器制御モジュール１４は、コイルディスク１２を制御して加熱鍋検出信号を出力し、加熱鍋検出信号に基づいてベース１０上に、現在、鍋があるか否かを判断し、ベース１０に、現在、鍋がある場合、無線送信コイル回路モジュール１３がフィードバック信号を検出するか否かを判断するように、電磁調理器制御モジュール１４は、無線送信コイル回路モジュール１３を制御して動作させ、ベース１０上に、現在、鍋がない場合、電磁調理器制御モジュール１４は、ベース１０が電磁調理器動作モードで実行することを許可し、ベース１０が炊飯器動作モードで実行することを禁止する。
【００６６】
本発明の一実施例によれば、図４に示すように、ベース１０には、第１の無線通信モジュール１５がさらに設けられ、電磁調理器制御モジュール１４は、ベース１０が電磁調理器動作モードで実行することを禁止し、ベース１０が炊飯器動作モードで実行することを許可する場合、無線送信コイル回路モジュール１３は、現在のベース１０に載置されている器具本体２０内の無線受信コイル回路モジュール２１と無線給電接続を確立し、第１の無線通信モジュール１５は、器具本体２０内の第２の無線通信モジュール２３と無線通信接続を確立して現在のベース１０に載置されている器具本体２０とベース１０との間の通信データインタラクションを実現し、現在のベース１０に載置されている器具本体２０内の炊飯器制御モジュール２２は、現在のベース１０に載置されている器具本体２０とベース１０との間の通信データインタラクションに基づいてコイルディスク１２を加熱制御する。
【００６７】
本発明の一実施例によれば、ベース１０が電磁調理器動作モードで実行することを許可し、ベース１０が炊飯器動作モードで実行することを禁止する場合、電磁調理器制御モジュール１４は、電磁調理器動作モードで加熱するように、コイルディスク１２を制御する。
【００６８】
なお、本発明の実施例の別体型調理器具に開示されていない詳細については、本発明の実施例の別体型調理器具の調理制御方法に開示されている詳細を参照して、ここでは詳細に説明しない。
【００６９】
本発明の実施例に係る別体型調理器具によれば、調理器具のベース内に識別モジュールと、コイルディスクと、無線送信コイル回路モジュールと、電磁調理器制御モジュールとが設けられ、電磁調理器制御モジュールは、ベースに電源を入れた後に識別モジュールの状態情報を取得し、識別モジュールの状態情報が第１の状態である場合、電磁調理器制御モジュールは、ベースが電磁調理器動作モードで実行することを禁止し、ベースが炊飯器動作モードで実行することを許可し、識別モジュールの状態情報が第２の状態である場合、電磁調理器制御モジュールは、無線送信コイル回路モジュールがフィードバック信号を検出するか否かを判断し、無線送信コイル回路モジュールがフィードバック信号を検出した場合、電磁調理器制御モジュールは、ベースが電磁調理器動作モードで実行することを禁止し、ベースが炊飯器動作モードで実行することを許可し、無線送信コイル回路モジュールがフィードバック信号を検出していない場合、電磁調理器制御モジュールは、ベースが電磁調理器動作モードで実行することを許可し、ベースが炊飯器動作モードで実行することを禁止する。当該別体型調理器具は、ベースと器具本体の分離／組み合わせ状態を効果的に識別することができ、単一の識別方式が無効である場合、組み合わせ状態が検知できず、電磁調理器動作モードになって器具本体を連続的に加熱する安全問題を効果的に回避することができる。
【００７０】
なお、本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「時計回り」、「逆時計回り」、「軸方向」、「径方向」、「周方向」などの用語が示す方位又は位置関係は、図面に示す方位又は位置関係に基づき、本発明を便利に又は簡単に説明するためのものであり、指定された装置又は部品が特定の方位にあり、特定の方位において構造され操作されると指示又は暗示するものではないので、本発明を限定するものと理解してはいけない。
【００７１】
なお、「第１」、「第２」の用語は、単に目的を説明するためのものであり、比較的な重要性を指示又は暗示するか、或いは示された技術的特徴の数を黙示的に指示すると理解してはいけない。よって、「第１」、「第２」と限定されている特徴は少なくとも一つの前記特徴を含むことを明示又は暗示するものである。本発明の説明において、明確且つ具体的な限定がない限り、「複数」とは、二つ以上を意味する。
【００７２】
本発明において、明確な規定と限定がない限り、「取り付ける」、「互いに接続する」、「接続する」、「固定する」などの用語の意味は広義に理解されるべきである。例えば、固定接続や、着脱可能な接続や、或いは一体的な接続でも可能である。机械的な接続や、電気的な接続も可能である。直接的に接続することや、中間媒体を介して間接的に接続することや、二つの部品の内部が連通することや、あるいは二つの部品の間に相互の作用関係があることも可能である。当業者であれば、具体的な場合に応じて上記用語の本発明においての具体的な意味を理解することができる。
【００７３】
本発明において、明確な規定と限定がない限り、第１特徴が第２特徴の「上」又は「下」にあることは、第１特徴と第２特徴とが直接的に接触することを含んでも良いし、又は第１特徴と第２特徴とが中間媒体を介して間接に接触することを含んでもよい。また、第１特徴が第２特徴の「上」、「上方」又は「以上」にあることは、第１特徴が第２特徴の真上又は斜め上にあることを含むか、或いは、単に第１特徴の水平高さが第２特徴より高いことだけを表す。第１特徴が第２特徴の「下」、「下方」又は「以下」にあることは、第１特徴が第２特徴の真下又は斜め下にあることを含むか、或いは、単に第１特徴の水平高さが第２特徴より低いことだけを表す。
【００７４】
本発明の説明において、「一実施例」、「一部の実施例」、「例」、「具体的な例」、或いは「一部の例」などの用語を参照した説明は、該実施例或いは例に合わせて説明された具体的な特徴、構成、材料或いは特性が、本発明の少なくとも一つの実施例或いは例に含まれることを意味する。本明細書において、上記用語に対する例示的な説明は、必ずしも同じ実施例或いは例を指すことではない。また、説明された具体的な特徴、構成、材料或いは特性は、いずれか一つ或いは複数の実施形態又は例において適切に結合することができる。なお、互いに矛盾しない限り、当業者は、本明細書に説明された異なる実施例又は例、及び異なる実施例又は例の特徴を結合し、組み合わせることができる。
【００７５】
以上に、本発明の実施例を示して説明したが、なお、上記実施例は、例示的なものであり、本発明を限定するものと理解してはいけない。当業者は、本発明の範囲内で上記実施例に対して変更、修正、取り替え及び変形を行うことができる。
【符号の説明】
【００７６】
１０  ベース
１１  識別モジュール
１２  コイルディスク
１３  無線送信コイル回路モジュール
１４  電磁調理器制御モジュール
１５  第１の無線通信モジュール
２０  器具本体
２３  第２の無線通信モジュール
【図１】
0006855638.tif 000002
【図２】
0006855638.tif 000003
【図３】
0006855638.tif 000004
【図４】
0006855638.tif 000005
【図５】
0006855638.tif 000006
【図６】
0006855638.tif 000007